(57)【要約】【課題】ヒケが生じない棚板部材及びこれを備える商品陳列什器を提供すること。【解決手段】合成樹脂の素材からなり、天板部１１と上方側板部１２からなる蓋状の上方部材１と、底板部２１と下方側板部２２からなる箱状の下方部材２と、を有し、上方部材１の開口側と下方部材２の開口側を対峙させ、上方部材１の内側に下方部材２を嵌め込むか、あるいは下方部材２の内側に上方部材１を嵌め込み、両者を係合又は接着により一体化した商品陳列用棚板部材１０及びこれを備える商品陳列什器２０。【選択図】図２
2015211802.tif 000002
【特許請求の範囲】
【請求項１】
合成樹脂の素材からなり、
天板部と上方側板部からなる蓋状の上方部材と、
底板部と下方側板部を備える箱状の下方部材と、を有し、
該上方部材の開口側と該下方部材の開口側を対峙させ、該上方部材の内側に該下方部材を嵌め込むか、あるいは該下方部材の内側に該上方部材を嵌め込み、両者を係合又は接着により一体化したことを特徴とする商品陳列用棚板部材。
【請求項２】
前記下方部材の内側は、補強リブ構造であることを特徴とする請求項１記載の商品陳列用棚板部材。
【請求項３】
前記補強リブ構造は、縦横の補強リブ板又は補強金属部材で形成されていることを特徴とする請求項２記載の商品陳列用棚板部材。
【請求項４】
前記天板部は、薄板状であることを特徴とする請求項１〜３のいずれか１項に記載の商品陳列用棚板部材。
【請求項５】
前記上方側板部は、薄板状であることを特徴とする請求項請求項１〜４のいずれか１項に記載の商品陳列用棚板部材。
【請求項６】
前記補強金属部材は、一対の補強リブ板間に形成される溝内に付設されたものであることを特徴とする請求項３記載の商品陳列用棚板部材。
【請求項７】
前記補強金属部材は、断面が逆Ｕ字形状であることを特徴とする請求項６記載の商品陳列用棚板部材。
【請求項８】
平面視が矩形状であり、所定の厚みを有することを特徴とする請求項１〜７のいずれか１項に記載の商品陳列用棚板部材。
【請求項９】
請求項１〜８のいずれか１項に記載の商品陳列用棚板部材を備える商品陳列什器。 
【発明の詳細な説明】
【技術分野】
【０００１】
本発明は、スーパーや量販店等の店舗で使用する陳列面にヒケがでない棚板部材及びこれを備える商品陳列什器に関するものである。
【背景技術】
【０００２】
実用新案登録第３１５３６０１号には、木材、集合材または合成樹脂などの素材を用いた商品陳列用の棚板本体を備える商品陳列用棚板が開示されている。近年、スーパーや量販店等の店舗で使用する商品陳列用棚としては、平面視が矩形状であり、所定の厚みを有する所謂板状の合成樹脂製の棚板部材が知られている。このような棚板部材は例えば、２つの支柱間に差し渡しで多段で設置されるものであり、この棚板部材の上面に衣料品などの商品が並べられる。合成樹脂製の棚板部材の製造法としては、溶解したプラスチックを押し出して製品を形作る押出し成型法が知られている。図１３に示すように、押出し成型法で製造された棚板１００は、天板１０１と、天板１０１と底板１０２間に形成された薄板状の補強リブ板１０３とが一体となっている。補強リブ板１０３は、棚板１００に軽量化と高強度化を付与する。なお、符号１０４は左右端の蓋部材であり、内部の補強リブ構造を隠し、意匠性を高めるものである。
【先行技術文献】
【特許文献】
【０００３】
【特許文献１】実用新案登録第３１５３６０１号
【発明の概要】
【発明が解決しようとする課題】
【０００４】
しかしながら、従来の樹脂成型法において、冷えて取り出された棚板は溶けた樹脂の状態と較べて多かれ少なかれ収縮する。このため、出来上がった棚板は押し出されたそのままの形状とはならず、へこんだりする部分が存在する。この収縮による不良がヒケである。この収縮は当然ながら押し出された樹脂材料の量に比例するため、棚板に厚みの有る部分でヒケを生じやすい。例えば、棚板表面１０５は平面でも裏面にリブ板が存在するものは凹凸状となり、裏面が凸の部分が収縮し、表面側のリブ板に相当する位置にヒケ１０６が生じる。このため、意匠性が悪くなり、陳列する商品の印象にも悪影響を及ぼすという問題がある。
【０００５】
従って、本発明の目的は、ヒケが生じない棚板部材及びこれを備える商品陳列什器を提供することにある。
【課題を解決するための手段】
【０００６】
本発明は、上記従来の課題を解決したものであって、合成樹脂の素材からなり、天板部と上方側板部からなる蓋状の上方部材と、底板部と下方側板部を備える箱状の下方部材と、を有し、該上方部材の開口側と該下方部材の開口側を対峙させ、該上方部材の内側に該下方部材を嵌め込むか、あるいは該下方部材の内側に該上方部材を嵌め込み、両者を係合又は接着により一体化したことを特徴とする商品陳列用棚板部材を提供するものである。
【０００７】
また、本発明は、前記下方部材の内側は、補強リブ構造である前記商品陳列用棚板部材を提供するものである。また、本発明は、前記補強リブ構造は、縦横の補強リブ板又は補強金属部材で形成されている前記商品陳列用棚板部材を提供するものである。
【０００８】
また、本発明は、前記天板部は、薄板状であることを特徴とする前記商品陳列用棚板部材を提供するものである。
【０００９】
また、本発明は、前記上方側板部は、薄板状であることを特徴とする前記商品陳列用棚板部材を提供するものである。
【００１０】
また、本発明は、前記補強金属部材は、一対の補強リブ板間に形成される溝内に付設されたものであることを特徴とする前記商品陳列用棚板部材を提供するものである。
【００１１】
また、本発明は、前記補強金属部材は、断面が逆Ｕ字形状であることを特徴とする前記商品陳列用棚板部材を提供するものである。
【００１２】
また、本発明は、平面視が矩形状であり、所定の厚みを有することを特徴とする前記商品陳列用棚板部材を提供するものである。
【００１３】
また、本発明は、上記商品陳列用棚板部材を備える商品陳列什器を提供するものである。
【発明の効果】
【００１４】
本発明によれば、蓋状の上方部材と箱状の下方部材の嵌め込みにより得られたものであるため、上方部材の天板は、内部のリブ板を形成する必要はなく、一様な薄板状とすることができる。このため、棚板部材表面にヒケが生じない。このため、意匠性を損なうことはなく、陳列の演出を高めることができる。なお、棚板部材の強度を高めるため、下方部材の内側を補強リブ構造としてもよいが、下方部材の底板の裏面にヒケは生じても、この部分は顧客からは見えない部分であり、意匠性に影響しない。
【図面の簡単な説明】
【００１５】
【図１】本発明の実施の形態における商品陳列用棚板部材の斜視図である。
【図２】図１の商品陳列用棚板部材の分解斜視図である。
【図３】図１の商品陳列用棚板部材の下方部材の内部構造の一部の拡大斜視図である。
【図４】図３において、金属補強部材を取り付ける様子を示す斜視図である。
【図５】図３の螺子部における断面図である。
【図６】図３のＸ−Ｘ線に沿って見た断面図である。
【図７】上方部材と下方部材の係止の一例を示す係止前の状態図である。
【図８】上方部材と下方部材の係止後の状態図である。
【図９】本発明の他の実施の形態における商品陳列用棚板部材の斜視図である。
【図１０】図９の商品陳列用棚板部材の分解斜視図である。
【図１１】図１の商品陳列用棚板部材の支柱への取付けを説明する図である。
【図１２】本発明の実施の形態における商品陳列什器の斜視図である。
【図１３】従来の商品陳列用棚板部材の斜視図である。
【発明を実施するための形態】
【００１６】
次に、本発明の実施の形態における商品陳列用棚板部材（以下、単に「棚板部材」とも言う。）を図１〜図８を参照して説明する。棚板部材１０は、天板部１１と上方側板部１２からなる蓋状の上方部材１と、底板部２１と下方側板部２２を備える箱状の下方部材２と、を有し、上方部材１の開口側と下方部材２の開口側を対峙させ、上方部材１の内側に下方部材２を入れ込み、両者を係合又は接着により一体化したものである。
【００１７】
上方部材１において、天板部１１は、本例では、薄板状で平面視が長方形の大きな面積を有する。天板部１１の表面は陳列面となるものであり、これにより、衣料品など多数の品を整然と陳列することができる。また、天板部１１の裏面には補強リブ板など天板部１１と一体となる突起部が形成されていない。このため、ヒケは発生していない。
【００１８】
上方部材１において、上方側板部１２は、本例では、長手方向に延びる前方側板部１２ａと、前方側板部１２ａと平行の延び対峙する位置にある後方側板部１２ｂと、短手方向に延びる右側板部１２ｃ、左側板部１２ｄとからなり、４つの側板は連続一体化して帯状をなしている。これらの上方側板部１２は、薄板状である。また、上方側板部１２の高さ寸法は、略棚板部材１０の厚み寸法となる。また、上方側板部１２は天板部１１の端部から天板部１１に直角で下方に垂れるように形成されている。これにより、上部部材１は、板状の棚板部材１０を形成した際、底板を除いて、外観面を形成することになる。
【００１９】
上方側板部１２の高さ寸法は棚板部材１０の厚みとなるため、最大で５０ｍｍ、好ましくは１０〜３０ｍｍ程度である。すなわち、上方部材１は浅底の箱状体である。上方部材１において、薄板状の天板部１１の厚みと薄板状の上方側板部１２の厚みは同じであることが作製上の観点から好ましい。上方側板部１２には、支柱６の突起６２に係止する係合凹部１３が左右の側板部１２ｃ、１２ｄに形成されている（図７、図８および図１１参照）。係合凹部１３は、本例では円筒状の突起６２に係止するため、半円形状の切欠きとなっている。
【００２０】
また、上方側板部１２は、下方側板部２２と嵌合するための上方係止部１４が形成されていてもよい。すなわち、上方係止部１４は、下方部材２の下方係止部２４と係止するものである。これにより、上方部材１と下方部材２が一体化して棚板部材１０とすることができる。上方係止部１４としては、種々の公知の係止部が使用できるが、本例では、図７に示すように、上方側板部１２の裏面に形成される薄板状の突起である。この薄板状の突起１４は、内側面が上方に向けて漸次厚みが大となっている。すなわち、側面視が楔形状の突起である。この突起１４の上方角部に下方部材２の板バネである下方係止部２４の突起が係止する。
【００２１】
上方部材１は、補強リブ板３が形成されていなくとも、下方部材２と一体となることで、好ましくは補強リブ板３で補強された下方部材２と一体となることで、組み立て後の棚板部材１０は強度を保持することができる。上方部材１は天板部１１及び上方側板部１２が一体成型されたものが好ましい。
【００２２】
下方部材２は、上方部材１に対応する外形状を有する。すなわち、下方部材２が上方部材１の内側に嵌り込む場合、下方部材２の外寸法が、上方部材１の内寸法と略同じか、又は極僅か小さい。また、上方部材１が下方部材２の内側に嵌り込む場合、上方部材１の外寸法が、下方部材２の内寸法と略同じか、又は極僅か小さい。これにより、上方部材１と下方部材２は隙間なく、嵌合することができ、意匠性に優れた棚板部材１０とすることができる。
【００２３】
すなわち、下方部材２が上方部材１の内側に嵌り込む場合、下方部材２の底板部２１の外寸法は上方部材１の天板部１１の内寸法、すなわち、天板部１１の外寸法から上方側板部１２の厚みの２倍を引いた寸法分、小さい。また、下方部材２の下方側板部２２は、底板部２１の端から上方に直角に延びるものであり、周方向における外寸法は上方部材１の上方側板部１２の周方向における内寸法と略同じか、あるいは極僅か小さい。また、下方側板部２２の高さ寸法は上方側板部１２の高さの内寸法、すなわち、上方側板部２２の高さの外寸法から天板部１１の厚みを引いた寸法であることが、棚板部材１０を形成した際、内側の下方側板部２２が外観から見えず、意匠性に優れたものとなる。
【００２４】
下方部材２の内側（内部）は、補強リブ板３又は補強金属部材３３で補強された補強構造とすることが好ましい。補強リブ板３は、下方部材２の内部に、縦横または斜めに付設される薄板状であり、軽量化と高強度を達成することができる。補強リブ板３が形成されることで、底面部２１の裏面にヒケが発生するが、この部分は顧客からは見えず意匠性に悪影響しない。補強リブ構造は、本例では、図２に示すように、縦横に延びる板状体３と円筒状のリブ突起３５である。円筒状のリブ突起３５は、縦横に延びる板状体の交差部の一部に形成されている。これにより、更に強度が高まる。また、下方部材２の長手方向の両端近傍は、補強リブ板３が密となっている。また、補強リブ板３及び円筒状のリブ突起３５の上端は下方側板部２２の上端と高さが一致するようにすることが好ましい。すなわち、補強リブ板３やリブ突起３５の高さが、下方側板部２２の内高さより高いと補強リブ板３の上端が上方部材１と下方部材２の嵌めこみの際、障害となるからである。補強リブ板３やリブ突起３５の上端を下方側板部２２の上端と高さを一致させておけば、棚板部材１０を形成した際、上方部材１の天板部１１が補強リブ板３の上端と当接する位置で平らになり、商品が載せられても、凹んだりすることがない。下方部材２において、補強リブ板３は棚板部材１０が薄く、小さい場合、不要とすることもできる。
【００２５】
補強金属部材３３は、主に、補強リブ板３と共に、下方部材２の内部に付設されて下方部材２を補強するものであり、板状体、Ｕ字断面体、棒材などが使用できる。また、補強金属部材３３は、本例では、補強リブ板３である一対の板状体３１１ａ、３１１ｂ間に形成された溝３１２内に設置されている（図３及び図４）。これにより、補強金属部材３３の取り付けが容易となり、且つ固定が安定する点で好ましい。補強金属部材３３は、断面がＵ字形状で長尺状のものが、軽量化と高強度が図れて好ましい。本例では、補強金属部材３３を溝３１２内にＵ字が逆さとなるように設置する。溝幅は補強金属部材３３の幅寸法と同じか、それより僅かに大とする。これにより隙間なく設置できる。また、溝３１２内には段差付き突起３４が長手方向の所定のピッチで複数形成されている。すなわち、突起３４は下方の突起部の径が大であり、上方の突起部の径がそれより小であり、段差（肩部）３４１ｂを形成している。この段差３４１ｂに、補強金属部材３３の切欠き部３３４が嵌るため、長手方向の移動が規制されて設置が安定する。突起３４は補強金属部材３３のＵ字形状の内側に入る大きさのものであり、補強金属部材３３の内側への変形を防止する。また、突起３４の形状は円筒突起３４ｂに限定されず、板状突起３４ａであってもよい。補強金属部材３３は溝３１２内に設置後、螺子止めすることが好ましい。螺子４は、補強金属部材３３の天板３１２の螺子開口３１３から通され、円筒突起３４ｂの中央に切られた螺子孔に螺合する（図３〜図６）。
【００２６】
また、下方側板部２２には、上方側板部１２と嵌合するための下方係止部２４が形成されていてもよい。すなわち、下方係止部２４は、上方部材１の上方係止部１４と係止す。これにより、上方部材１と下方部材２が一体化して棚板部材１０となる。下方係止部２４としては、種々の公知の係止部が使用できるが、本例では、下方側板部２２に形成される薄板バネ状の突起である。この薄板バネ状の突起２４は、板状の突起本体２４１の上部外側面が下方に向けて漸次厚みが大の突起であり、側面視が上方係止部１４の突起１４１とは逆向きの楔形状である。この突起２４は、上方部材１の上方係止部１４に当たると内側に撓み、次いで、押し込まれることで、復元し、上方係止部１４の角状の突起１４１に下方係止部１４の突起１４１が係止する。
【００２７】
下方側板部２２の左右の側板部２２ｃ、２２ｄには、上方側板部１２の係合凹部１３と対応する位置に、下方係合凹部２３が形成されている。下方係合凹部２３は、係合凹部１３と同様に、半円形状の切欠きとなっている。これにより、棚板部材１０においては、係合凹部１３と共に、半円形状となって、支柱６の突起６２に係止することができる（図９参照）。
【００２８】
棚板部材１０は上方部材１と下方部材２を嵌め込み係止又は接着により一体化して作製される。本例の棚板部材１０は、上方部材１の開口側と下方部材２の開口側を対峙させ、上方部材１の内側に下方部材２を嵌め込み、係止又は接着により一体化して作製される。係止の場合、上記の上方係止部１４と下方係止部２４による係止が挙げられる。すなわち、上方部材１と下方部材２を嵌め込む際、下方係止部２４の微小突起２４２が、上方係止部１４の微小突起１４１に当たり、下方係止部２４は内側に撓み、微小突起２４２は微小突起１４１を乗り越えて、下方係止部２４は元の形状に復元して上方係止部１４と係止する。上方部材１と下方部材２の接着は、接着剤による接着接合である。この場合、接着面は、上方部材１の上方側板部１２の内側面と下方部材２の下方側板部２２の外側面である。また、この側板部の接着面は全部または一部である。
【００２９】
このように組み立てられた棚板部材１０は、平面視が矩形状であり、所定の厚みを有し、外観を形成する天板及び４つの側板は、上方部材１の天板部１１及び上方側板部１２であり、底板が下方部材２の底板部２１である。従って、外観からは２つの嵌め込みであるとは判断されず、一体ものと判断できる。また、下方部材２は補強リブ板３及び補強金属部材３３で補強されており、軽量化と高強度化を達成している。補強リブ板３の上端は、天板部１１と当接しつつも、接着などで一体にはなっていない。また、ヒケは天板及び側板に現れず、意匠性が高く、陳列商品に悪影響を及ぼすことはない。
【００３０】
次に、棚板部材１０の他の実施の形態について、図９及び図１０を参照して説明する。図９及び図１０において、図１〜図８と同一構成要素には同一符号を付して、その説明を省略し異なる点について主に説明する。すなわち、図９及び図１０の棚板部材１０ａは、前面に２つの開口部７ａ、７ｂを形成した点、下方部材２の内側中央部の補強リブ板３を省略した点にある。開口部７ａには、２つの差し込み口８ａ、８ｂが形成されている。すなわち、棚板部材１０ａを構成する上方部材１の前方側板１２ａには、２つの開口部７ａ、７ｂが形成され、下方部材２には、２つの開口部７ａ、７ｂに対応する位置に２つの差し込み口８ａ、８ｂが形成されている。下方部材２における差し込み口８ａは天板と手前の側板を除く、４面で囲まれた四角形の差し込み口であり、棚板部材１０を形成する際、開口側を除いて５面で囲まれた差し込み口となる。また、後面にはマグネットが付設されている。これにより、後面に鉄板が付設された表示具を挿入すれば、強い磁力による固定で設置が安定する。不図示の表示具は、例えば前面に価格や商品名が記載されたものである。
【００３１】
棚板部材１ａの下方部材２の内側の補強リブ構造は、長手方向の両端近傍に形成される補強リブ板３ａ、短手方向の両端近傍に形成される一対の補強リブ板３１１ａ、３１１ｂ及び一対の補強リブ板３１１ａ、３１１ｂ間の溝に収容される補強金属部材３３からなる。下方部材２の内側がこのような補強リブ構造であっても強度は十分である。
【００３２】
次に、本発明の実施の形態における商品陳列什器２０について説明する。商品陳列什器２０は、棚板部材１０を備えるものである。本例では対峙する２本の支柱６間に差し渡しで設置される。すなわち、４本の支柱は長手方向の内寸法が棚板部材１０の外寸法となるように、短手寸法の外寸法が棚板部材１０の外寸法となるように設置される。支柱６は下方で基台８に、上方で横（左右）棒部材７と縦（前後）棒部材９で固定される。支柱６の内側面には上下多段に丸穴６１が形成されており、丸穴６１に円柱状の突起（ボス）を挿入し支柱面から一部を突出させている。この突出部６２に棚板部材１０の半円形状の係止凹部１３（２３）が係止する。このような棚板部材１０は支柱６に対して多段に設置される。商品陳列什器２０で使用される棚板部材１０は、樹脂製であっても、陳列面にヒケは生じない。このため、意匠性が悪くなることはなく、陳列の演出を高めることができる。なお、棚板部材１０の底板の裏面にヒケは生じても、この部分は顧客からは見えない部分であり、意匠性に影響しない。
【００３３】
本発明は、上記実施の形態例に限定されず、種々の変形を採ることができる。例えば、上方部材１と下方部材２の嵌め込み方法は、上記方法に限定されず、下方部材２の内側に上方部材１を嵌め込み、両者を係合又は接着により一体化してもよい。この場合、下方部材２の内側が補強リブ構造である場合、上方部材１が嵌る溝を下方側板部２２の内側で補強リブ構造の外側に形成しておくことが好ましい。
【００３４】
また、棚板部材１０の平面視形状は、上記長方形に限定されず、円形、楕円形、四角形以外の多角形、不定形などであってもよい。この場合、支柱構造及び支柱配置は、棚板部材の形状に対応したものとすればよい。棚板部材１０の支柱への係止構造は、上記半円形状の係止凹部１３（２３）に限定されず、種々の係止構造を採ることができる。また、棚板部材１０の係止凹部１３（２３）は、省略することができる。この場合、棚板部材１０は基台上へ単に載置するか、又は枠状の基台に嵌め込むことになる。
【産業上の利用可能性】
【００３５】
本発明によれば、樹脂製棚板部材の陳列面におけるヒケ現象の問題を簡単な方法且つ低コストで解決でき、陳列商品の印象に悪影響することはない。このため、製造メーカ及び店舗にとって都合がよい。
【符号の説明】
【００３６】
１    上方部材
２    下方部材
３    補強リブ板
４    螺子
１０、１０ａ    棚板部材
１１  天板部
１２  上方側板部
１３  係合凹部
１４  上方係止部
２０  商品陳列什器
２１  底板部
２２  下方側板部
２３  下方係合凹部
２４  下方係止部
３３  補強金属部材
【図１】
2015211802.tif 000003
【図２】
2015211802.tif 000004
【図３】
2015211802.tif 000005
【図４】
2015211802.tif 000006
【図５】
2015211802.tif 000007
【図６】
2015211802.tif 000008
【図７】
2015211802.tif 000009
【図８】
2015211802.tif 000010
【図９】
2015211802.tif 000011
【図１０】
2015211802.tif 000012
【図１１】
2015211802.tif 000013
【図１２】
2015211802.tif 000014
【図１３】
2015211802.tif 000015